(57)【要約】【課題】  天井裏空間部の梁に対する耐火被覆の施工を容易に行うことができ、しかも、十分な耐火性能を発揮することができる梁−天井耐火構造を提供する。【解決手段】  天井面部１が火災に対して難脱落性を備えると共に、天井裏空間部２に備えられた梁３の下面側に遮熱材５が設置され、かつ、該梁３の両側部はそれぞれ遮熱材が設置されることなく天井裏空間部２に開放されている。天井面部１は、例えば複数枚の石膏ボードを重ね合わせたものからなって火災に対する難脱落性を備えている。【選択図】      図１
2005048546.tif 000002
【特許請求の範囲】
【請求項１】
天井面部が火災に対して難脱落性を備えると共に、天井裏空間部に備えられた梁の下面側に遮熱材が設置され、かつ、該梁の両側部はそれぞれ遮熱材が設置されることなく天井裏空間部に開放されていることを特徴とする梁−天井耐火構造。
【請求項２】
前記遮熱材は幅方向の両側部が梁の両側部よりも外方に突出している請求項１に記載の梁−天井耐火構造。
【請求項３】
前記天井面部が、複数枚の石膏ボードを重ね合わせたものからなる請求項１又は２に記載の梁−天井耐火構造。
【発明の詳細な説明】
【技術分野】
【０００１】
本発明は、梁−天井耐火構造に関する。
【背景技術】
【０００２】
住宅等の建物の梁−天井耐火構造として、天井面部を石膏ボードで形成し、天井裏空間部の梁の下部と両側部をロックウールの吹付けや巻付けで耐火被覆をしたものが提供されている。この構造では、火災時に石膏ボード中の結晶水が脱水して石膏ボードが脱落し、炎が天井空間部に回り込んだとしても、梁の両側部に備えられているロックウールが梁の温度上昇を抑制するように作用し、それによって必要な耐火性能が確保されるようになされている。特に、梁が鉄骨梁である場合には、上記のような耐火被覆によって、鉄骨梁の温度上昇が抑えられて、梁が撓んでしまうのを防ぐことができる。
【発明の開示】
【発明が解決しようとする課題】
【０００３】
しかしながら、上記のような梁−天井耐火構造では、梁を下方、両側方の三方から耐火被覆しなければならないため、梁に対する耐火被覆の施工が非常に厄介であるという問題があった。
【０００４】
本発明は、かかる問題点に鑑み、天井裏空間部の梁に対する耐火被覆の施工を容易に行うことができ、しかも、十分な耐火性能を発揮することができる梁−天井耐火構造を提供することを課題とする。
【課題を解決するための手段】
【０００５】
上記の課題は、天井面部が火災に対して難脱落性を備えると共に、天井裏空間部に備えられた梁の下面側に遮熱材が設置され、かつ、該梁の両側部はそれぞれ遮熱材が設置されることなく天井裏空間部に開放されていることを特徴とする梁−天井耐火構造によって解決される。
【０００６】
この構造では、天井裏空間部に備えられた梁の下面側に遮熱材が設置され、梁の両側部はそれぞれ遮熱材が設置されることなく天井裏空間部に開放されているので、天井裏空間部の梁に対する耐火被覆の施工を容易に行うことができる。
【０００７】
しかも、天井面部が火災に対して難脱落性を備えているので、火災時に、天井面部が脱落し難く、そのため、炎が天井裏空間部に回り込むことがなく、梁の両側部がそれぞれ遮熱材を設置されることなく天井裏空間部に開放されていても、梁の下面側の遮熱材だけで十分な耐火性能を発揮することができる。
【０００８】
加えて、天井全面に遮熱材を備えさせるのではなく、梁の下面側にのみ局部的に遮熱材を備えさせる構成であるので、遮熱材の使用量を少なくすることができ、梁−天井耐火構造をコスト的に有利に実現することができる。
【０００９】
前記遮熱材の幅方向の両側部が梁の両側部よりも外方に突出している場合は、火災時に、天井下の熱が梁に伝えられるのを効果的に抑制することができ、高い耐火性能を発揮することができる。
【００１０】
前記天井面部が、複数枚の石膏ボードを重ね合わせたものからなるのもよい。天井面部を石膏ボードで形成する場合、天井面部に難脱落性を備えさせるためには、石膏ボードの厚さ寸法を大きくする必要があるが、そのための手段として、天井面部を複数枚の石膏ボードが重ね合わされた構造とすることにより、天井面部の施工を容易に行うことができる。
【発明の効果】
【００１１】
本発明は、以上のとおりのものであるから、天井裏空間部の梁に対する耐火被覆の施工を容易に行うことができ、しかも、十分な耐火性能を発揮することができる。
【発明を実施するための最良の形態】
【００１２】
次に、本発明の実施最良形態を図面に基づいて説明する。
【００１３】
図１及び図２に示す実施形態の梁−天井耐火構造は、本発明を複数階建て建物における下階天井に適用した場合のもので、１は下階の天井面部、２は天井裏空間部であり、天井裏空間部２に床梁である鉄骨梁３が備えられ、鉄骨梁３の上に上階の床版６，６が設置されている。
【００１４】
天井面部１は、２枚の石膏ボード１ａ，１ａを上下に重ね合わせて構成されており、その合計厚さ寸法は例えば３０ｍｍで、更に本実施形態では各石膏ボード１ａ，１ａが網入りのものからなり、それらによって、火災に対して難脱落性の天井面部に形成されている。なお、４は軽鉄下地で、石膏ボード１ａ，１ａはこの下地４にビス７で止め付けられている。
【００１５】
そして、天井裏空間部２において、鉄骨梁３の下面側には、１立法メートル当たり８０ｋｇのロックウールなどからなる平板状の遮熱材５が、その幅方向の両側部を鉄骨梁３の両側部から外方に突出させるようにして、鉄骨梁３の延びる方向に延ばされて設置される一方、鉄骨梁３の両側部はそれぞれそのような遮熱材が設置されることなく天井裏空間部２に開放されている。なお、鉄骨梁３の下面側の遮熱材５は、クリップ８，８で鉄骨梁３に止め付けられている。
【００１６】
上記の梁−天井耐火構造では、天井裏空間部２に備えられた鉄骨梁３の下面側に遮熱材５が設置され、鉄骨梁３の両側部はそれぞれ遮熱材が設置されることなく天井裏空間部２に開放されているので、天井裏空間部２の鉄骨梁３に対する耐火被覆の施工を容易に行うことができる。
【００１７】
しかも、天井面部１が、上記のような構造をして火災に対し難脱落性を備えているので、火災時に、天井面部１が脱落し難く、そのため、火炎が天井裏空間部２に回り込むことがなく、鉄骨梁３の両側部が上記のようにそれぞれ遮熱材を設置されることなく天井裏空間部２に開放されていても、鉄骨梁３の下面側の遮熱材５だけで十分な耐火性能を発揮することができ、火災で鉄骨梁３に撓みを生じるのを防ぐことができる。また、遮熱材５の幅方向の両側部は鉄骨梁３の両側部よりも外方に突出しているので、火災時に、天井下の熱が鉄骨梁３に伝えられるのを効果的に抑制することができ、高い耐火性能を発揮することができる。
【００１８】
更に、天井全面に遮熱材５を備えさせるのではなく、鉄骨梁３の下面側にのみ局部的に遮熱材５を備えさせるようにしているので、遮熱材５の使用量を少なくすることができ、梁−天井耐火構造をコスト的に有利に実現することができる。
【００１９】
また、上記の天井面部１は、２枚の石膏ボードを重ね合わせたものからなっているので、天井面部１の厚さ寸法を大きくして天井面部１の難脱落性を確保することができ、しかも、天井面部１の施工を容易に行うことができる。
【００２０】
以上に、本発明の実施形態を示したが、本発明はこれに限られるものではなく、発明思想を逸脱しない範囲で各種の変更が可能である。例えば、上記の実施形態では、天井面部を２枚の網入り石膏ボード１ａ，１ａで形成した場合を示しているが、下側の石膏ボードのみ網入りとしてもよいし、また、石膏ボードを下、鉄板を上とした複数層構造の天井面部としてもよいし、要は、火災に対して難脱落性を備えたものであればよい。なお、「火災に対して難脱落性の天井面部」とは、例えば、国土交通省が指定した指定性能評価機関である財団法人日本建築総合試験所が制定している防耐火性能試験・評価業務方法書に定められた耐火性能試験・評価方法による３０分耐火性能試験、好ましくは１時間耐火性能試験、より好ましくは２時間耐火性能試験において、天井裏空間部に対する火炎の遮蔽作用を損なわせるような脱落を生じないような天井面部をいう。また、上記の実施形態では、遮熱材として、ロックウールを用いた場合を示しているが、その他の遮熱材が用いられてもよい。また、梁は鉄骨に限らない。
【００２１】
更に、上記の実施形態では、本発明を複数階建物の下階の天井部に適用した場合を示しているが、本発明は、天井裏が屋根裏である天井部であって天井裏の梁が鉄骨などの小屋梁である場合などにも適用することができる。
【図面の簡単な説明】
【００２２】
【図１】実施形態の梁−天井耐火構造を示す断面側面図である。
【図２】天井面部を省略した断面斜視図である。
【符号の説明】
【００２３】
１…天井面部
１ａ…石膏ボード
２…天井裏空間部
３…梁（鉄骨梁）
５…遮熱材
【図１】
2005048546.tif 000003
【図２】
2005048546.tif 000004